(57)【特許請求の範囲】
【請求項１】
ユーザボックスに保存されている複数の文書を結合して前記ユーザボックスに保存する文書結合手段、
前記ユーザボックスに保存されている文書のうちから、ユーザによって選択された文書をプレビュー表示させるための操作手段、
前記操作手段が操作されたときに、ユーザによって選択された文書の任意のページに対応するイメージをプレビュー表示させる手段、
前方ジャンプ指令を入力するための第１入力手段、
後方ジャンプ指令を入力するための第２入力手段、
前記文書結合手段により複数の被結合文書が結合されてなる結合文書の任意のページに対応するイメージがプレビュー表示されている場合において、前記前方ジャンプ指令が入力されたときには、現在プレビュー表示されているページが属している被結合文書の前側に隣接している他の被結合文書が存在しているか否かを判別する第１判別手段、
前記第１判別手段によって前記他の被結合文書が存在していると判別されたときには、プレビュー表示するページを、当該他の被結合文書の先頭ページに変更させる手段、
前記第１判別手段によって前記他の被結合文書が存在していないと判別されたときには、プレビュー表示するページを、現在プレビュー表示されているページが属する被結合文書の先頭ページに変更させる手段、
前記文書結合手段により複数の被結合文書が結合されてなる結合文書の任意のページに対応するイメージがプレビュー表示されている場合において、前記後方ジャンプ指令が入力されたときには、現在プレビュー表示されているページが属している被結合文書の後側に隣接している他の被結合文書が存在しているか否かを判別する第２判別手段、
前記第２判別手段によって前記他の被結合文書が存在していると判別されたときには、プレビュー表示するページを、当該他の被結合文書の先頭ページに変更させる手段、ならびに 
前記第２判別手段によって前記他の被結合文書が存在していないと判別されたときには、プレビュー表示するページを、現在プレビュー表示されているページが属している被結合文書の最終ページに変更させる手段、
を備えていることを特徴とする文書編集表示装置。
【発明の詳細な説明】
【技術分野】
【０００１】
この発明は、デジタル複写機等の文書編集表示装置に関する。
【背景技術】
【０００２】
近年のデジタル複写機は、高機能化されてきたことに伴い、様々な画像処理機能が搭載されており、そのため、印刷前に出力イメージを予測することが難しくなりつつある。しかしながら、出力イメージを確認する目的で実際に印刷を行なうと用紙が無駄になるので、印刷前に出力イメージを確認できるように、出力イメージを大型の液晶パネルに表示させる機能（プレビュー表示機能）を実現させるための技術が提案されている。
【０００３】
特許第３２３６１７６号公報には、効率的にプレビュー画像を生成するための方法が開示されている。特開平１０−７０６６５号公報には、記録媒体の状態を考慮することで正確にプレビュー表示を行なう方法が開示されている。特開２００６−２６０３４７号公報には、フォルダ等のＢＯＸ等に保存されている文書から所望の文書を選択して印刷出力させる際のプレビュー表示に関し、ユーザのページめくり操作を軽減させる方法が開示されている。
【先行技術文献】
【特許文献】
【０００４】
【特許文献１】特許第３２３６１６７号公報
【特許文献２】特開平１０−７０６６５号公報
【特許文献３】特開２００６−２６０３４７号公報
【発明の概要】
【発明が解決しようとする課題】
【０００５】
ところで、デジタル複写機として、”文書ボックス機能”を備えたものがある。”文書ボックス機能”とは、読み取った文書をユーザボックスに保存したり、ユーザボックスから文書を読み出して印刷したり、ユーザボックスの文書を編集したりする機能をいう。ユーザボックスの文書を編集する機能には、ユーザボックスに保存されている文書を別のボックスに移動する機能や、ボックスに保存されている複数の文書を結合したりする機能（文書結合機能）が含まれている。
【０００６】
ボックスに保存されている複数の文書を結合する場合には、まず、”文書ボックス”ボタンを押して、ユーザボックスのリスト画面を表示させる。ボックスリストの中から、結合したい文書が入っているボックスを選択し、”開くボタン”により、選択したボタン内に保存されている文書のリスト画面を表示させる。文書リストの中から結合する文書を選択する。この選択は、例えば、結合する文書のチェックボックスにチェックマークを付けることにより行なわれる。
【０００７】
次に、ユーザボックスのリスト画面内に表示されている”結合ボタン”を押す。これにより、選択された文書のリスト画面が表示されるので、これらのリストを結合する順番に並び替えるための操作を行なう。この操作は、例えば、並べ替えたい文書を選択し、”上へボタン”または”下へボタン”を押すことにより行なわれる。
【０００８】
次に、選択された文書のリスト画面内に表示されている”次へボタン”を押す。これにより、結合後の文書名（ファイル名）を入力するための画面が表示されるので、結合後の文書名を入力する。そして、”結合ボタン”を押す。これにより、確認画面が表示される
ので、”はい”を選択すると、文書が結合される。
【０００９】
従来のプレビュー表示機能を備えた画像形成装置は、ユーザが表示させたいページを選択する手段として、ページを１ページ毎にめくるためのページめくりボタンや、何ページ目を表示するかを指定するための表示ページ指定手段を備えていた。
【００１０】
上述した”文書ボックス機能”の文書結合機能によって結合された文書は、複数の被結合文書から構成されているため、各被結合文書の先頭ページの出力イメージを確認したいと考えるユーザが多いと考えられる。しかしなから、従来方法では各被結合文書の先頭ページの出力イメージのプレビュー表示を迅速に切り替えることはできない。
【００１１】
この発明は、文書結合機能によって結合された文書がプレビュー表示される場合に、結合された文書に含まれている各被結合文書の先頭ページのイメージのプレビュー表示を、迅速に切り替えることができる文書編集表示装置を提供することを目的とする。
【課題を解決するための手段】
【００１２】
請求項１に記載の発明は、ユーザボックスに保存されている複数の文書を結合して前記ユーザボックスに保存する文書結合手段、前記ユーザボックスに保存されている文書のうちから、ユーザによって選択された文書をプレビュー表示させるための操作手段、前記操作手段が操作されたときに、ユーザによって選択された文書の任意のページに対応するイメージをプレビュー表示させる手段、前方ジャンプ指令を入力するための第１入力手段、後方ジャンプ指令を入力するための第２入力手段、前記文書結合手段により複数の被結合文書が結合されてなる結合文書の任意のページに対応するイメージがプレビュー表示されている場合において、前記前方ジャンプ指令が入力されたときには、現在プレビュー表示されているページが属している被結合文書の前側に隣接している他の被結合文書が存在しているか否かを判別する第１判別手段、前記第１判別手段によって前記他の被結合文書が存在していると判別されたときには、プレビュー表示するページを、当該他の被結合文書の先頭ページに変更させる手段、前記第１判別手段によって前記他の被結合文書が存在していないと判別されたときには、プレビュー表示するページを、現在プレビュー表示されているページが属する被結合文書の先頭ページに変更させる手段、前記文書結合手段により複数の被結合文書が結合されてなる結合文書の任意のページに対応するイメージがプレビュー表示されている場合において、前記後方ジャンプ指令が入力されたときには、現在プレビュー表示されているページが属している被結合文書の後側に隣接している他の被結合文書が存在しているか否かを判別する第２判別手段、前記第２判別手段によって前記他の被結合文書が存在していると判別されたときには、プレビュー表示するページを、当該他の被結合文書の先頭ページに変更させる手段、ならびに 前記第２判別手段によって前記他の被結合文書が存在していないと判別されたときには、プレビュー表示するページを、現在プレビュー表示されているページが属している被結合文書の最終ページに変更させる手段を備えていることを特徴とする。
【発明の効果】
【００１３】
この発明によれば、文書結合機能によって結合された文書がプレビュー表示される場合に、結合された文書に含まれている各被結合文書の先頭ページのイメージのプレビュー表示を、迅速に切り替えることができるようになる。
【図面の簡単な説明】
【００１４】
【図１】デジタル複写機におけるプレビュー表示機能に関係する部分の構成を示すブロック図である。
【図２】読み取った文書を”文書ボックス機能”によってユーザボックスに保存する際に作成される管理テーブルの一例を示す模式図である。
【図３】文書結合時に作成される管理テーブルの一例を示す模式図である。
【図４】文書結合時に作成される区切り情報テーブルの一例を示す模式図である。
【図５】文書結合操作が行なわれた際に、デジタル複写機によって実行される文書結合処理手順を示すフローチャートである。
【図６】ユーザボックスに保存されている文書を印刷する場合の印刷処理手順を示すフローチャートである。
【図７】３つの文書（被結合文書１，２，３）を結合することによって得られた文書の例を示す模式図である。
【図８】ＬＣＤ８に表示されるプレビュー表示画面を示す模式図である。
【図９】プレビュー表示ページが切り替えられることを説明するための模式図である。
【図１０】プレビュー表示ページの切り替え処理の手順を示すフローチャートである。
【発明を実施するための形態】
【００１５】
以下、図面を参照して、本発明をデジタル複写機に適用した場合の実施形態について説明する。
【００１６】
図１は、デジタル複写機におけるプレビュー表示機能に関係する部分の構成を示している。
【００１７】
デジタル複写機は、ＣＰＵ１、ＲＯＭ２、ＲＡＭ３、メッセージＲＯＭ４、ＶＲＡＭ５、画像保存用メモリ６、ＬＣＤコントローラ７、タッチパネル付きのＬＣＤ８、ハードディスクドライブ（ＨＤＤ）９等を備えている。
【００１８】
ＣＰＵ１はデジタル複写機全体を制御する。ＲＯＭ２には、ＣＰＵ１のプログラム等が記憶される。ＲＡＭ３は、作業用メモリとして用いられる。メッセージＲＯＭ４には、ＬＣＤ８に表示されるメッセージ等が記憶されている。ＶＲＡＭ５には、ＬＣＤ８に表示される画像が展開される。ＬＣＤコントローラ７は、タッチパネル付きのＬＣＤ８を制御する。画像保存用メモリ６には、図示しない原稿読取部によって読み取られた原稿画像が一時的に保存される。ＨＤＤ９には、後述する”文書ボックス機能”等を実現する際に、文書が保存される。
【００１９】
このデジタル複写機は、”文書ボックス機能”を備えている。”文書ボックス機能”とは、読み取った文書をユーザボックスに保存したり、ユーザボックスから文書を読み出して印刷したり、ユーザボックスの文書を編集したりする機能をいう。ユーザボックスの文書を編集する機能には、ユーザボックスに保存されている文書を別のボックスに移動する機能や、ボックスに保存されている複数の文書を結合したりする機能（文書結合機能）が含まれている。
【００２０】
ボックスに保存されている複数の文書を結合する場合には、まず、”文書ボックス”ボタンを押して、ユーザボックスのリスト画面を表示させる。ボックスリストの中から、結合したい文書が入っているボックスを選択し、ユーザボックスのリスト画面内の”開くボタン”を押すことにより、選択したボタン内に保存されている文書のリスト画面を表示させる。文書リストの中から結合する文書を選択する。この選択は、例えば、結合する文書のチェックボックスにチェックマークを付けることにより行なわれる。
【００２１】
次に、ユーザボックスのリスト画面内に表示されている”結合ボタン”を押す。これにより、選択された文書のリスト画面が表示されるので、これらのリストを結合する順番に並び替えるための操作を行なう。この操作は、例えば、並べ替えたい文書を選択し、”上へボタン”または”下へボタン”を押すことにより行なわれる。
【００２２】
次に、選択された文書のリスト画面内に表示されている”次へボタン”を押す。これにより、結合後の文書名（ファイル名）を入力するための画面が表示されるので、結合後の文書名を入力する。そして、”結合ボタン”を押す。これにより、確認画面が表示されるので、”はい”を選択すると、文書結合指令が入力され、文書結合処理が開始される。
【００２３】
ユーザボックスに保存されている文書（文書結合機能によって結合された文書も含む）を印刷する場合には、まず、”文書ボックス”ボタンを押して、ユーザボックスのリスト画面を表示させる。ボックスリストの中から、印刷したい文書が入っているボックスを選択し、ユーザボックスのリスト画面内の”開くボタン”を押すことにより、選択したボタン内に保存されている文書のリスト画面を表示させる。文書リストの中から印刷する文書を選択する。この選択は、例えば、印刷する文書のチェックボックスにチェックマークを付けることにより行なわれる。
【００２４】
次に、ユーザボックスのリスト画面内に表示されている”印刷ボタン”を押す。これにより、印刷設定画面が表示されるので、必要に応じて、用紙の選択や片面／両面印刷等の印刷設定を行なう。この後、スタートキーを押すと、選択した文書の印刷が開始される。
【００２５】
なお、この実施形態では、後述するように、印刷設定画面内にプレビューボタンが表示されており、印刷設定を行なった後に、プレビューボタンを押すと、印刷対象文書内の各ページのうち、ユーザによって選択されたページの印刷イメージがＬＣＤ８にプレビュー表示される。なお、最初は、印刷対象文書の１ページ目の印刷イメージがプレビュー表示される。ＬＣＤ８にプレビュー表示が行なわれている状態においては、ユーザ操作に基づいてプレビュー表示ページの切り替えが可能である。プレビュー表示ページの切り替え処理については後述する。
【００２６】
なお、読み取った文書を”文書ボックス機能”によってユーザボックスに保存する際には、図２に示すような管理テーブルが作成される。この管理テーブルには、保存文書の各ページ毎に、ページ数、被結合文書の結合順序番号（被結合文書の仮文書番号）、画像サイズ、画像解像度等が記憶される。ただし、この場合、文書結合が行なわれていないので、被結合文書の結合順序番号は、”０”となる。この管理テーブルはＨＤＤ９に記憶される。
【００２７】
また、”文書ボックス機能”の文書結合機能により、複数の文書を結合する際には、管理テーブルと区切り情報テーブルが作成される。この管理テーブルと区切り情報テーブルはＨＤＤ９に記憶される。
【００２８】
図３は、文書結合時に作成される管理テーブルの一例を示している。
【００２９】
この管理テーブルには、結合後の文書の各ページ毎に、ページ数、そのページが含まれていた被結合文書の結合順序番号（被結合文書の仮文書番号）、画像サイズ、画像解像度等が記憶される。
【００３０】
図４は、区切り情報テーブルの一例を示している。
【００３１】
区切り情報テーブルには、結合後の文書に含まれる各被結合文書の仮文書番号毎に、その被結合文書の先頭ページの結合文書全体でのページ数が記憶される。
【００３２】
図５は、文書結合操作が行なわれた際に、デジタル複写機によって実行される文書結合処理手順を示している。
【００３３】
ｉは結合文書全体でのページ数を表す変数である。ｋは、各被結合文書の結合順序番号および各被結合文書の仮文書番号を表す変数である。ｊは、結合前の各被結合文書内でのページ数を表す変数である。Ｆは、ｉで示されているページが被結合文書の先頭ページであるか否かを記憶するためのフラグである。
【００３４】
文書結合操作が行なわれると、つまり、結合する文書の選択、選択された文書の並び替えおよび結合後の文書名の入力が行なわれた後、文書結合指令が入力されると（ステップＳ１）、ｉ＝ｊ＝ｋ＝Ｆ＝０に設定する（ステップＳ２）。なお、結合する文書の選択および選択された文の並び替えが完了した場合、結合する文書（被結合文書）の総数ＭがＲＡＭ３に保持されるとともに、各被結合文書に対して結合順序番号に従った仮文書番号１，２，…，Ｍが与えられる。
【００３５】
ステップＳ２の処理の後、Ｆをセット（Ｆ＝１）するとともにｋを１だけインクリメントする（ステップＳ３）。仮文書番号がｋの被結合文書の管理テーブルを読み込む（ステップＳ４）。ｊおよびｉを１だけインクリメントする（ステップＳ５）。
【００３６】
ステップＳ４で読み込んだ管理テーブルに基づいて、仮文書番号ｋの被結合文書のｊページ目の管理情報を読み取る（ステップＳ６）。仮文書番号ｋの被結合文書のｊページ目の画像データをＲＡＭ３に結合後文書のｉページ目の画像データとして記憶する（ステップＳ７）。ＲＡＭ３上に仮作成された、結合後文書に対する管理テーブル（図３参照）に、上記ｊページ目の画像データの結合後文書全体でのページ数ｉ，当該ｊページ目の画像データが含まれている被結合文書の結合順序番号ｋ，当該ｊページ目の画像データの画像サイズおよび画像解像度を記憶する（ステップＳ８）。
【００３７】
次に、フラグＦがセットされているか否かを判別する（ステップＳ９）。フラグＦがセットされている場合（Ｆ＝１）には、今回ＲＡＭ３に記憶したｊページ目の画像データは仮文書番号がｋである被結合文書の先頭ページの画像であると判断し、ＲＡＭ３上に仮作成された、結合後文書に対する区切り情報テーブル（図４参照）に、仮文書番号ｋおよび当該画像データの結合文書全体でのページ数ｉを記憶する（ステップＳ１０）。そして、フラグＦをリセット（Ｆ＝０）した後（ステップＳ１１）、ステップＳ１２に移行する。上記ステップＳ９において、フラグＦがセットされていないと判別した場合には、ステップＳ１０およびステップＳ１１の処理を行なうことなく、ステップＳ１２に移行する。 
【００３８】
ステップＳ１２では、仮文書番号がｋである被結合文書に次のページが存在しているか否かを判別する。次のページが存在している場合には、ステップＳ５に戻り、ｊおよびｉを１だけインクリメントした後、ステップＳ６〜ステップＳ１２の処理を行なう。
【００３９】
ステップＳ１２において、仮文書番号がｋである被結合文書内に次のページが存在していないと判別した場合には、ｋ≧Ｍであるか否かを判別する（ステップＳ１３）。ｋ＜Ｍであれば、まだ結合されていない被結合文書が存在すると判断し、ｊ＝０に設定した後（ステップＳ１４）、ステップＳ３に戻る。そして、ステップＳ３以降の処理を再度実行する。
【００４０】
ステップＳ１３において、ｋ≧Ｍであると判別した場合には、結合すべき全ての文書が結合されたと判断し、ＲＡＭ３上に作成した結合文書ファイルをステップＳ１で入力された文書名のファイルとしてＨＤＤ９内の対応するボックス内に保存するとともに、その管理テーブルおよび区切り情報テーブルをＨＤＤ９に保存する（ステップＳ１５）。そして、今回の文書結合処理を終了する。
【００４１】
図６は、ユーザボックスに保存されている文書を印刷する場合の印刷処理手順を示している。
【００４２】
印刷すべき文書の選択および選択された文書の印刷設定が行なわれると（ステップ２１）、プレビューボタンが押下げられたか否か（ステップＳ２２）、スタートキーが押下げられたか否か（ステップＳ２４）を監視する。
【００４３】
スタートボタンが押下げられてない状態で、プレビューボタンが押下げられた場合には、ステップＳ２１で選択された文書（印刷対象文書）内の各ページのうち、ユーザによって選択されたページの印刷イメージをＬＣＤ８にプレビュー表示させる（ステップＳ２３）。そして、ステップＳ２４に移行する。なお、最初は、印刷対象文書の１ページ目の印刷イメージがプレビュー表示される。ＬＣＤ８にプレビュー表示が行なわれている状態においては、ユーザ操作に基づいてプレビュー表示ページの切り替えが可能である。プレビュー表示ページの切り替え処理については後述する。
【００４４】
スタートキーが押下げられた場合には、印刷対象文書の印刷を実行する（ステップＳ２５）。そして、今回の印刷処理を終了する。
【００４５】
図７は、３つの文書（被結合文書１，２，３）を結合することによって得られた文書の例を示している。図３および図４に示すテーブルの内容は、図７の文書に対応している。
【００４６】
図７に示す文書は、仮文書番号が１、２、３である３つの被結合文書から構成されている。仮文書番号１の文書は、Ａ４サイズでかつ画像解像度が６００ｄｐｉの２枚の画像Ａ，Ｂからなる。仮文書番号２の文書は、Ａ３サイズかつ画像解像度が２００ｄｐｉの３枚の画像Ｃ，Ｄ，Ｅからなる。仮文書番号３の文書は、Ａ４サイズでかつ画像解像度が６００ｄｐｉの２枚の原稿Ｆ，Ｇからなる。
【００４７】
図８は、ＬＣＤ８に表示されるプレビュー表示画面を示している。プレビュー表示画面は、プレビュー表示部１１０と、プレビュー表示部１１０の右側に表示された５種類のボタン１１１〜１１５とから構成されている。
【００４８】
ボタン１１１は、プレビュー表示させたいページ数で指定させるためのボタンであり、”ページ数指定ボタン”と呼ぶことにする。ボタン１１２は、印刷対象文書が”文書ボックス機能”によって結合された文書である場合において、現在プレビュー表示されているページが属する被結合文書の前側に隣接している他の被結合文書の先頭ページをプレビュー表示させるためのボタンであり、”前方ジャンプボタン”と呼ぶことにする。ボタン１１３は、現在プレビュー表示されているページの前ページをプレビュー表示させるためのボタンであり、”前ページボタン”と呼ぶことにする。
【００４９】
ボタン１１４は、現在プレビュー表示されているページの次ページをプレビュー表示させるためのボタンであり、”次ページボタン”と呼ぶことにする。ボタン１１５は、印刷対象文書が”文書ボックス機能”によって結合された文書である場合において、現在プレビュー表示されているページが属する被結合文書の後側に隣接している他の被結合文書の先頭ページをプレビュー表示させるためのボタンであり、”後方ジャンプボタン”と呼ぶことにする。
【００５０】
図７に示すように、文書がＡ〜Ｇの７枚の画像から構成されており、図８に示すように１番目の被結合文書内の画像Ａに対する印刷イメージがプレビュー表示されている状態において、”後方ジャンプボタン”１１５が押し下げられると、図９に示すように、２番目
の被結合文書の先頭ページの画像Ｃに対する印刷イメージに、プレビュー表示が切り替えられる。
【００５１】
図１０は、プレビュー表示ページの切り替え処理の手順を示している。
【００５２】
プレビュー表示が行なわれている場合には、５種類のボタン１１１〜１１５それぞれについて、押下げられたか否かが監視されている（ステップＳ３１〜Ｓ３５）。
【００５３】
”ページ数指定ボタン”１１１が押下げられた場合には（ステップＳ３１でＹＥＳ）、ページ数入力画面を表示する（ステップＳ３６）。ページ数入力画面上にページ数が入力されると（ステップＳ３７）、プレビューの表示ページを入力されたページに変更（ステップＳ３８）。つまり、入力されたページの印刷イメージがプレビュー表示される。
【００５４】
”前方ジャンプボタン”１１２”が押下げられた場合には（ステップＳ３２でＹＥＳ）、現在プレビュー表示されているページが属する被結合文書の前側に隣接している他の被結合文書が存在するか否かを判別する（ステップＳ３９）。
【００５５】
現在プレビュー表示されているページが属する被結合文書の前側に隣接している他の被結合文書が存在する場合には、プレビュー表示のページを、当該他の被結合文書の先頭ページに変更する（ステップＳ４０）。
【００５６】
現在プレビュー表示されているページが属する被結合文書の前側に隣接している他の被結合文書が存在しない場合には、つまり、現在プレビュー表示されているページが属する被結合文書が結合文書内の先頭の被結合文書である場合には、プレビュー表示のページを、現在プレビュー表示されているページが属する被結合文書の先頭ページに変更する（ステップＳ４１）。つまり、プレビュー表示するページを、印刷対象文書（結合文書）の先頭ページに変更する。
【００５７】
なお、印刷対象文書が”文書ボックス機能”によって結合された文書でない場合には、ステップＳ３９でＮＯと判断される。したがって、その場合には、ステップＳ４１に進み、印刷対象文書の先頭ページがプレビュー表示される。
【００５８】
”前ページボタン”１１３が押下げられた場合には（ステップＳ３３でＹＥＳ）、プレビュー表示のページを、現在プレビュー表示されているページの前ページに変更する（ステップＳ４２）。
【００５９】
”次ページボタン”１１４が押下げられた場合には（ステップＳ３４でＹＥＳ）、プレビュー表示のページを、現在プレビュー表示されているページの次ページに変更する（ステップＳ４３）。
【００６０】
”後方ジャンプボタン”が押下げられた場合には（ステップＳ３５でＹＥＳ）、現在プレビュー表示されているページが属する被結合文書の後側に隣接している他の被結合文書が存在するか否かを判別する（ステップＳ４４）。
【００６１】
現在プレビュー表示されているページが属する被結合文書の後側に隣接している他の被結合文書が存在する場合には、プレビュー表示のページを、当該他の被結合文書の先頭ページに変更する（ステップＳ４５）。
【００６２】
現在プレビュー表示されているページが属する被結合文書の後側に隣接している他の被結合文書が存在しない場合には、つまり、現在プレビュー表示されているページが属する被
結合文書が結合文書内の最後の被結合文書である場合には、プレビュー表示するページを、現在プレビュー表示されているページが属している被結合文書の最終ページに変更する（ステップＳ４６）。つまり、プレビュー表示するページを、印刷対象文書（結合文書）の最終ページに変更する。
【００６３】
なお、印刷対象文書が”文書ボックス機能”によって結合された文書でない場合には、ステップＳ４５でＮＯと判断される。したがって、その場合には、ステップＳ４６に進み、印刷対象文書の最終ページがプレビュー表示される。
【００６４】
例えば、図７の２ページ目の画像Ｂ（１番目の被結合文書内の画像）がプレビュー表示されている時に、”前方ジャンプボタン”１１２”が押下げられと、１番目の被結合文書内の先頭ページである１ページ目の画像Ａがプレビュー表示される。
【００６５】
また、２ページ目の画像Ｂ（１番目の被結合文書内の画像）がプレビュー表示されている時に、”後方ジャンプボタン”１１５”が押下げられと、２番目の被結合文書内の先頭ページである３ページ目の画像Ｃがプレビュー表示される。
【００６６】
また、３ページ目の画像Ｃ（２番目の被結合文書内の画像）がプレビュー表示されている時に、”前方ジャンプボタン”１１２”が押下げられと、１番目の被結合文書内の先頭ページである１ページ目の画像Ａがプレビュー表示される。
【００６７】
また、３ページ目の画像Ｃ（２番目の被結合文書内の画像）がプレビュー表示されている時に、”後方ジャンプボタン”１１５”が押下げられと、３番目の被結合文書内の先頭ページである６ページ目の画像Ｆがプレビュー表示される。
【００６８】
６ページ目の画像Ｆ（３番目の被結合文書内の画像）がプレビュー表示されている時に、”後方ジャンプボタン”１１５”が押下げられと、最終ページの画像Ｇがプレビュー表示される。
【符号の説明】
【００６９】
１ ＣＰＵ
２ ＲＯＭ
３ ＲＡＭ
４ メッセージＲＯＭ
５ ＶＲＡＭ
６ 画像保存用メモリ
７ ＬＣＤコントローラ
８ タッチパネル付きのＬＣＤ
９ ＨＤＤ
【図１】
0005543557.tif 000002
【図２】
0005543557.tif 000003
【図３】
0005543557.tif 000004
【図４】
0005543557.tif 000005
【図５】
0005543557.tif 000006
【図６】
0005543557.tif 000007
【図７】
0005543557.tif 000008
【図８】
0005543557.tif 000009
【図９】
0005543557.tif 000010
【図１０】
0005543557.tif 000011